(57)【要約】【課題】給水加熱器の高性能化を実現可能でありながら、よりコンパクトで設置面積の少ない構造にする。【解決手段】実施形態による給水加熱器は、蒸気タービンから抽気された蒸気が導入される蒸気入口座１６を有する本体胴１２と、給水の入口座１８と給水の出口座１９とを有する水室１４と、本体胴１２の内部で長手方向に配置される、Ｕ字伝熱管の集合体からなるＵ字伝熱管群を有し、前記Ｕ字伝熱管内を流れる給水とＵ字伝熱管の外側を流れる蒸気との間で熱交換を行う凝縮部２０と、蒸気入口座１６と接続され、蒸気入口座１６から導入される過熱蒸気の有する顕熱をＵ字伝熱管から導出された給水に与える過熱戻し部２２と、凝縮部２０で水蒸気から凝縮したドレンの有する顕熱をＵ字伝熱管に導入する前に給水に与えるドレン冷却部２４と、を備えている。さらに、過熱戻し部２２およびドレン冷却部２４は、金属材料からなるブロック体であって、熱交換対象の流体が流れる微細な多数の流体通路を有する熱交換ブロック３０、３６を備えている。【選択図】図１
2017072321.tif 000002
【特許請求の範囲】
【請求項１】
蒸気タービンから抽気された蒸気が導入される蒸気入口座を有する本体胴と、
給水の入口座と給水の出口座とを有する水室と、
前記本体胴の内部で長手方向に配置される、Ｕ字伝熱管の集合体からなるＵ字伝熱管群を有し、前記Ｕ字伝熱管内を流れる前記給水と前記Ｕ字伝熱管の外側を流れる蒸気との間で熱交換を行う凝縮部と、
前記蒸気入口座と接続され、前記蒸気入口座から導入される過熱蒸気の有する顕熱を前記Ｕ字管から導出された給水に与える過熱戻し部と、
前記凝縮部で水蒸気から凝縮したドレンの有する顕熱を前記Ｕ字伝熱管に導入する前に給水に与えるドレン冷却部と、を備え、
前記過熱戻し部および前記ドレン冷却部は、金属材料からなるブロック体であって、熱交換対象の流体が流れる微細な多数の流体通路を有する熱交換ブロックを備えたことを特徴とする給水加熱器。
【請求項２】
前記熱交換ブロックは、３次元積層造形法により微細な流体通路を有する３次元構造が造形された熱交換ブロックであることを特徴とする請求項１に記載の給水加熱器。
【請求項３】
前記熱交換ブロックの前記流体通路は、孔径１〜１０mmのマイクロチャネルをなす貫通孔からなることを特徴とする請求項２に記載の給水加熱器。
【請求項４】
前記貫通孔は、前記熱交換ブロックを一の方向に貫通するように所定のピッチで３次元的に配列された第１貫通孔と、前記熱交換ブロックを他の方向に貫通するように所定のピッチで所定のピッチで３次元的に配置された第２貫通孔と、からなり、前記第１貫通孔と前記第２貫通孔は独立した孔であることを特徴とする請求項３に記載の給水加熱器。
【請求項５】
前記過熱戻し部および前記ドレン冷却部では、それぞれ前記熱交換ブロックが立方体または直方体をなす単一の熱交換ブロックからなることを特徴とする請求項２に記載の給水加熱器。
【請求項６】
前記熱交換ブロックは、複数に分割して造形された分割ブロックを一体に接合してなる熱交換ブロックであることを特徴とする請求項５に記載の給水加熱器。
【請求項７】
前記過熱戻し部および前記ドレン冷却部では、それぞれ前記熱交換ブロックは複数の単位ブロックが相互に接続された熱交換ブロックからなることを特徴とする請求項２に記載の給水加熱器。
【請求項８】
請求項１乃至７のいずれかの項に記載の給水加熱器を有することを特徴とする発電プラント。
【発明の詳細な説明】
【技術分野】
【０００１】
本発明の実施形態は、発電プラントに使用される給水加熱器に関する。
【背景技術】
【０００２】
火力発電プラントや原子力発電プラントでは、プラントの熱効率向上のために給水加熱器が設置されている。給水加熱器は、蒸気タービンから抽気された蒸気で給水を加熱し、ボイラに供給する熱交換器である。この種の給水加熱器には、蒸気タービンの低圧段から蒸気が抽気される低圧給水加熱器と、高圧段から蒸気が抽気される高圧給水加熱器と、がある。
【０００３】
一般に、この種の給水加熱器は、大きく分けると、水室と本体胴の二つの部分から構成されている。水室には、給水入口座と給水出口座が設けられ、本体胴の内部では、凝縮部、過熱戻し部、ドレン冷却部といった３つの熱交換部が機能別に構成されている。このうち、凝縮部は、給水と蒸気との間で熱交換を行い、給水の温度を上げるメインとなる熱交換器である。過熱戻し部は、蒸気入口座から流入した過熱蒸気の顕熱で給水を加熱する熱交換器であり、ドレン冷却部は、ドレンと給水の間で熱交換を行い、ドレンの温度を下げる熱交換器である。従来の給水加熱器では、いずれの熱交換器もチューブ式の熱交換器として構成されている。このような給水加熱器に係る従来技術としては、例えば、特許文献１に開示されているものを挙げることができる。
【０００４】
大規模発電プラントで用いられる高圧給水加熱器ともなると、本体胴の内部の大部分を占めるＵ字形の伝熱管群は大型化し、外径が２ｍ程度、全長は１０ｍを超え、重量は１００トンクラスの大型構造物である。
【０００５】
また、高圧給水加熱器には、付属する周辺機器、設備として、多様な配管、バルブ、ケーブル、電線等が設けられる他、それらの支持構造物や柱が縦横に設置される。高圧給水加熱器は、発電プラントのタービン建屋内に設置されるが、タービン建屋内でも大きな面積を専有しているのが現状である。
【先行技術文献】
【特許文献】
【０００６】
【特許文献１】特開２００２−８１６１２号公報
【発明の概要】
【発明が解決しようとする課題】
【０００７】
近年、発電プラントでは、発電効率の向上が進展し、それを受けて、高圧給水加熱器でも高性能化の要求が高くなってきている。例えば、高圧給水加熱器では、耐圧性能を向上させるために、伝熱管のチューブをより肉厚にしたり、伝熱特性を向上させるために、様々な改良が加えられている。そのため、高圧給水加熱器の構造はより複雑になってきている。
【０００８】
また、発電プラントでは、福島第１原子力発電所の事故を受けて、地震等の災害に対するリスクを可能な限り低減させる対策が厳しく要求されるようになってきている。このような趨勢のもとでは、高圧給水加熱器はますます大型化が進む傾向があり、タービン建屋で占める高圧給水加熱器の占有面積の割合は年々増加しているのが現状である。
【０００９】
本発明は、前記従来技術の有する問題点に鑑みなされたものであって、高性能化を実現可能でありながら、よりコンパクトで設置面積の少ない構造にすることが可能な給水加熱器を提供することを目的とする。
【課題を解決するための手段】
【００１０】
前記の目的を達成するために、本発明の実施形態による給水加熱器は、蒸気タービンから抽気された蒸気が導入される蒸気入口座を有する本体胴と、給水の入口座と給水の出口座とを有する水室と、前記本体胴の内部で長手方向に配置される、Ｕ字伝熱管の集合体からなるＵ字伝熱管群を有し、前記Ｕ字伝熱管内を流れる前記給水と前記Ｕ字伝熱管の外側を流れる蒸気との間で熱交換を行う凝縮部と、前記蒸気入口座と接続され、前記蒸気入口座から導入される過熱蒸気の有する顕熱を前記Ｕ字伝熱管から導出された給水に与える過熱戻し部と、前記凝縮部で水蒸気から凝縮したドレンの有する顕熱を前記Ｕ字伝熱管に導入する前に給水に与えるドレン冷却部と、を備え、前記過熱戻し部および前記ドレン冷却部は、金属材料からなるブロック体であって、熱交換対象の流体が流れる微細な多数の流体通路を有する熱交換ブロックを備えたことを特徴とするものである。
【発明の効果】
【００１１】
本発明によれば、給水加熱器の高性能化を実現可能でありながら、よりコンパクトで設置面積の少ない構造にすることができる。
【図面の簡単な説明】
【００１２】
【図１】本発明の実施形態による給水加熱器の概要を示す図である。
【図２】実施形態による給水加熱器の過熱戻し部、ドレン冷却部に適用される熱交換ブロックの模式図である。
【図３】過熱戻し部の熱交換ブロックにおける蒸気、給水の流れを示す模式図である。
【図４】ドレン冷却部の熱交換ブロックにおけるドレン、給水の流れを示す模式図である。
【図５】分割ブロックから一体の熱交換ブロックを構成する例を示す模式図である。
【図６】単位ブロックを連結して熱交換ブロックを構成する例を示す模式図である。
【発明を実施するための形態】
【００１３】
以下、本発明を高圧給水加熱器に適用した実施形態について、添付の図面を参照しながら説明する。  
図１は、本発明の実施形態による高圧給水加熱器の概要を示す図である。この高圧給水加熱器１０は、発電プラントに設置され、プラントの熱効率を高めるため給水を加熱する熱交換器である。高圧給水加熱器１０には、発電機を回転する蒸気タービンの高圧段落から抽気された蒸気が導かれる。高圧給水加熱器１０は、この蒸気と給水との間で熱交換を行い、加熱した給水をボイラに供給する。
【００１４】
図１に示されるように、高圧給水加熱器１０の本体は、大きく分けると、円筒形の本体胴１２と、水室１４の２つの部分から構成されている。本体胴１２と水室１４とは、隔壁１５によって仕切られている。本体胴１２には、図示しない蒸気タービンの高圧段落から抽気した蒸気が導入される蒸気入口座１６と、熱交換が終わって凝縮したドレンを導出するためのドレン出口座１７が設けられている。水室１４は、隔壁１４ａにより二つの水室に区画され、給水が導入される給水入口座１８が下部に設けられ、熱交換が終わって加熱された給水が導出される給水出口座１９は上部に設けられている。
【００１５】
本体胴１２の内部には、熱交換機能の上から区別される、凝縮部２０、過熱戻し部２２、ドレン冷却部２４からなる３つの熱交換部が構成されている。  
凝縮部２０は、本体胴１２の内部で最も大きな部分を占め、給水を加熱する上で主要な熱交換機能を果たす熱交換部である。本体胴１２の内部には、図１では１本しか描かれ移いないが、実際には多数のＵ字伝熱管２５が長手方向に配置されている。凝縮部２０は、これら多数のＵ字伝熱管２５が、図示されない伝熱管支え板によって集束された伝熱管群からなるチューブ式の熱交換器である。Ｕ字伝熱管２５の管内には給水が流れ、Ｕ字伝熱管２５の外側を流れる蒸気との間で熱交換が行われ、管内の給水が加熱される。蒸気は、熱交換の過程で凝縮して潜熱を放出すると、本体胴１２内部で最終的にドレンになる。このようにして、凝縮部２０では、蒸気から水に変わるときの放出する潜熱を利用して給水を加熱する。凝縮部２０を出た給水は、加熱戻し部２２によってさらに温度が高められる。
【００１６】
過熱戻し部２２は、蒸気入口座１６と接続され、蒸気入口座１６から流入した蒸気はまず過熱戻し部２２に導入される。このとき過熱戻し部２２に流入してくる蒸気は、飽和温度よりも温度の高い過熱蒸気となっている。過熱戻し部２２は、過熱蒸気のもっている顕熱を給水に与えて、Ｕ字伝熱管２５に送る給水の温度を高めるための熱交換器である。過熱戻し部２２での伝熱形態は、凝縮のような相変化を伴わない点で凝縮部２０とは異なっている。過熱戻し部２２で顕熱を放出してほぼ飽和蒸気となった蒸気は、出口部２７から凝縮部２０に配列しているＵ字伝熱管群のＵ字伝熱管２５の隙間を流れるようになっている。
【００１７】
次に、ドレン冷却部２４は、凝縮部２０での熱交換過程で凝縮して本体胴１２の下部に溜まったドレンと給水との間で熱交換を行う熱交換器である。
【００１８】
ドレンは、水温も高く、その量も大きい。ドレン冷却部２４は、ドレンの有する顕熱を凝縮部２０に送る前の給水に与えることで、給水の温度を高め、逆にドレンを冷却する熱交換器である。ドレン冷却部２４では、水室１４から導入口３７を介して流入してくる給水は、ドレン冷却部２４で予熱されてから凝縮部２０に導入されることになる。このようなドレン冷却部２４での伝熱形態は、過熱戻し部２２と同様に、凝縮のような相変化を伴わない伝熱形態である。
【００１９】
従来の高圧給水加熱器においては、過熱戻し部２２とドレン冷却部２４にはＵ字伝熱管群のＵ字伝熱管２５が延びるいわばチューブ式の熱交換器として構成されていた。  
これに対して、本実施形態による高圧給水加熱器１０では、過熱戻し部２２とドレン冷却部２４は、いずれも伝熱管を用いる替わりに、以下のような立体構造をもつ熱交換ブロックを適用したブロック式の熱交換器として構成されている。
【００２０】
図１に示されるように、過熱戻し部２２では、熱交換器ケーシング２８の中に熱交換ブロック３０が収容されている。熱交換器ケーシング２８には、蒸気入口座１６と連通している過熱蒸気入口部３１が設けられている。また、熱交換器ケーシング２８には、Ｕ字伝熱管２５の端部（この場合、給水の出口側）と接続される給水導入部３２が設けられている。過熱戻し部２２で過熱された給水は、給水出口部３３から水室１４に導出される。
【００２１】
同様に、ドレン冷却部２４でも、熱交換器ケーシング３４の中に熱交換ブロック３６が収容されている。熱交換器ケーシング３４は、給水導入部３７を介して水室１４と接続されている。また、熱交換器ケーシング３４には、Ｕ字伝熱管２５の端部（この場合、給水の入口側）と接続される給水出口部３８が設けられている。ドレン冷却部２４での熱交換によって昇温した給水は、給水出口部３８から凝縮部２０のＵ字伝熱管群に導出される。
【００２２】
ここで、図２は、過熱戻し部２２、ドレン冷却部２４に適用される熱交換ブロックを模式的に示す図である。過熱戻し部２２、ドレン冷却部２４のいずれにも、以下に説明する同じ構造の熱交換ブロックを伝熱管の替わりになる熱交換エレメントとして適用することができる。
【００２３】
この熱交換ブロックは、立方体、直方体などの立体形状を有する、金属材料からなるブロック体である。金属材料は、具体的には、Ｕ字伝熱管２５の材料に用いられる、ＳＣＭＶ鋼、ＳＵＳ３０４Ｌ鋼、ＳＵＳ３１６鋼などを用いることができる。
【００２４】
熱交換ブロックには、流体の流路となる第１の貫通孔４０が一方向（水平方向）に延びるように多数形成されている。これらの第１貫通孔４０は、立方体の向かい合う一方の面から他方の面まで貫通するようになっている。また、熱交換ブロックには、別の流体通路として、第１貫通孔４０とは直角の方向（鉛直方向）に延びる第２の貫通孔４２が多数形成されている。この第２貫通孔４２も、立方体のもう一組の向かい合う一方の面から他方の面まで貫通するようになっている。
【００２５】
図２では、説明の便宜上から、第１貫通孔４０、第２貫通孔４２ともブロックの大きさに比べて大きく概念的に表しているが、実用上は孔径が１〜１０mm、好ましくは１〜６mmの微細な角孔若しくは丸孔である。第１貫通孔４０、第２貫通孔４２は、いずれも独立した（交わることのない）１本ずつの孔である。また、第１貫通孔４０、第２貫通孔４２は一定の間隔で３次元的に配列しており、孔のピッチ（隣り合う孔の中心間距離）は、目標とする熱交換性能に応じて、例えば、２〜１０mmの範囲内で設定することが好ましい。
【００２６】
以上のような熱交換ブロックを図１に示した過熱戻し部２２、ドレン冷却部２４に適用すると、図３、図４のように、熱交換ブロック内の第１貫通孔４０、第２貫通孔４２を蒸気、給水が流れることになる。
【００２７】
ここで、図３は、過熱戻し部２２の熱交換ブロック３０における蒸気、給水の流れを示す図である。過熱戻し部２２の場合、給水は第１貫通孔４０を流れ、過熱蒸気が第２貫通孔４２を流れるように、熱交換ブロック３０に導入される。熱交換ブロック３０では、過熱蒸気が有する顕熱は、熱交換ブロック３０の本体材料を伝導して給水に与えられる。  
本実施形態による熱交換ブロック３０では、流体の流れる第１貫通孔４０および第２貫通孔４２は、孔径が数mmの狭隘な微細流路が無数に形成される構造になっており、いわゆるマイクロチャネル化された熱交換器構造が構成されている。
【００２８】
このような熱交換ブロック３０では、微細化した流路を単純化したブロック構造の中に無数に設けることで、ブロック単位体積あたりの伝熱面積が格段に増大するので、従来のチューブ式の熱交換器に比べて熱交換効率を大きく向上させることができる。逆に、従来のチューブ式の熱交換器と同等以上の熱交換効率の熱交換ブロック３０に代替することで、過熱戻し部２２をコンパクトに小型化することができる。  
次に、図４は、ドレン冷却部２４の熱交換ブロック３６における蒸気、給水の流れを示す図である。ドレン冷却部２４の場合、給水が第１貫通孔４０を流れ、ドレンが第２貫通孔４２を流れるように、熱交換ブロック３６に導入される。熱交換ブロック３６では、ドレンが有する顕熱は、熱交換ブロック３６の本体材料を伝達して給水に与えられる。
【００２９】
このような熱交換ブロック３６においても、微細化した流路を単純化したブロック構造の中に無数に設けることで、ブロック単位体積あたりの伝熱面積が格段に増大するので、従来のチューブ式の熱交換器に比べて熱交換効率を大きく向上させることができる。また熱交換ブロック３６に代替することで、ドレン冷却部２４をコンパクトに小型化することができる。  
以上のように本実施形態によれば、過熱戻し部２２とドレン冷却部２４を微細な流路が形成されたブロック式の熱交換器で置き換えることにより、高圧給水加熱器全体を小型化し、タービン建屋に占める高圧給水加熱器の占有面積の小さくすることが可能になる。
【００３０】
ところで、以上説明した熱交換ブロック３０、３６は、構造そのものは単純な構造であるが、微細な第１貫通孔４０、第２貫通孔４２を加工することは、その数が非常に多くなるだけに、機械加工によって製作することは極めて困難である。
【００３１】
そこで、本実施形態による熱交換ブロックの製作について、以下説明する。  
熱交換ブロックの造形には、レーザや電子ビームなどの高エネルギビームを利用した３次元積層造形法が利用され、いわゆる３Ｄプリンタを用いることにより、容易にかつ低コストでの製作が可能になる。
【００３２】
まず、図３、図４に示したような熱交換ブロックのＣＡＤデータを作成しておく。  
素材には、高圧給水加熱器の伝熱管にも適用されている、例えば、ＳＣＭＶ３鋼が用いられる。このＳＣＭＶ３鋼はガスアトマイズ法により、たとえば熱源をレーザとした場合は２５〜４５ミクロン、電子ビームとした場合は４５〜１０５ミクロンの粉末として使用する。
【００３３】
造形装置には、例えばレーザ積層造形装置を用い、コンテナに造形粉末をリコータによって均一に敷き詰め、ＣＡＤデータに基づいてレーザで走査して、造形材料を焼結、固化して、熱交換ブロックの一断面に相当する平面を形成する。そして、この操作を繰り返して積層していくことにより、熱交換ブロックの三次元形状を再現する。
【００３４】
このようにして、３次元積層造形法の適用により熱交換ブロックを造形すれば、第１貫通孔４０および第２貫通孔４２のように孔径が数mmの狭隘な流路が無数に形成される構造であっても、結局のところ一定のピッチで丸孔や角孔が三次元配列している単純な構造であるにすぎないため、ＣＡＤデータに基づくレーザ走査を能率良く行い、熱交換ブロックを製作することができる。
【００３５】
以上説明した実施形態は、熱交換ブロックを単一のブロック体で構成した実施の形態である。熱交換ブロックが大型になると、３次元積層造形法による造形には非常な時間を要し、あるいは大きすぎて造形が困難になる可能性がある。その場合には、図５に示すように、適当な大きさの分割ブロック５０の各々を３次元積層造形法により製作しておき、これらを、例えば凹凸を介し組み合わせて大きな熱交換ブロックを構成するようにすることも可能である。
【００３６】
次に、図６は、熱交換ブロックの複数個の単位ブロック６０が連結継手６２を用いて縦横に連結されるようにして熱交換ブロックを構成するようにした例である。この場合、各連結継手６２は、同じ方向の貫通孔に流体が流れるように、隣り合う単位ブロック同士を連結するようになっている。
【００３７】
このように３次元積層造形法により製作可能な大きさの熱交換ブロックの単位ブロック６０同士を連結継手で連結することによって、過熱戻し部２２やドレン冷却部２４をコンパクトにした上で必要な熱交換能力を得ることが可能である。
【００３８】
以上、本発明に係る給水加熱器について、高圧給水加熱器に適用した実施形態を挙げて説明したが、本発明は、低圧給水加熱器にも適用可能である。また、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３９】
１０…高圧給水加熱器、１２…本体胴、１４…水室、１５…隔壁、１６…蒸気入口座、１７…ドレン出口座、１８…給水入口座、１９…給水出口座、２０…凝縮部、２２…過熱戻し部、２４…ドレン冷却部、２５…Ｕ字伝熱管、２８…熱交換器ケーシング、３０…熱交換ブロック、３４…熱交換器ケーシング、３６…熱交換ブロック、４０…第１貫通孔、４２…第２貫通孔、５０…分割ブロック、６０…単位ブロック、６２…連結継手
【図１】
2017072321.tif 000003
【図２】
2017072321.tif 000004
【図３】
2017072321.tif 000005
【図４】
2017072321.tif 000006
【図５】
2017072321.tif 000007
【図６】
2017072321.tif 000008